(57)【要約】【課題】  簡単な構成で、水路の流れを阻害することなく効率良く塵芥を取り除くことができる水路の除塵装置を提供すること。【解決手段】  水路の除塵装置であって、水路１０に、複数の横目のスクリーンバー１２を所定間隔離間させて設けた平板状のスクリーン１１を設置し、該スクリーン１１を水路１０の水流Ｗに対して平行な状態に格納した格納位置Ｘと、水路１０を流れる水流Ｗの断面に掛け渡した状態で設置した設置位置Ｙとで切り換える切換手段を備え、スクリーン１１を格納位置Ｘに位置させることで自然排水を行い、スクリーン１１を設置位置Ｙに位置させることで強制排水を行って水路１０を流れる塵芥５を効率良く捕集して集積場所１４に集積させるように構成した。【選択図】図１
2006070508.tif 000002
【特許請求の範囲】
【請求項１】
水路に設置した水流中の塵芥等を捕集するスクリーンを備えた除塵装置であって、
前記スクリーンは複数のスクリーンバーを所定間隔離間させて設けて平板状にした構成であり、
前記スクリーンは、切換手段で前記水路の水流に対して平行な状態に格納される格納位置と、前記水路の水流の断面に掛け渡した状態で設置される設置位置とに切り換え配置されるようになっていることを特徴とする水路の除塵装置。
【請求項２】
請求項１に記載の水路の除塵装置において、
前記スクリーンは軸を中心に水平方向に回転自在に設置されており、前記格納位置は前記軸を中心として水流に対して平行な状態にあり、前記設置位置は前記軸を中心として水流に対して直交又は傾斜した状態にあることを特徴とする水路の除塵装置。
【請求項３】
請求項１又は２に記載の水路の除塵装置において、
前記スクリーンはその一端部を前記水路の一方の側面に旋回自在に取り付けられ、前記格納位置は該スクリーンの旋回端の上流側水路側面又は下流側水路側面に隣接して設けられていることを特徴とする水路の除塵装置。
【請求項４】
水路に設置した水流中の塵芥等を捕集するスクリーンを備えた除塵装置であって、
前記スクリーンは複数のスクリーンバーを所定間隔離間させて設けて平板状にした構成であり、
前記スクリーンはその両側端部が前記水路の水流の上流側と下流側に位置し前記水路横断面に対して傾斜した状態で設置位置に設置されることを特徴とする水路の除塵装置。
【請求項５】
請求項１乃至４のいずれか１項に記載の水路の除塵装置において、
前記スクリーンバーを、前記スクリーンの設置位置において水平、又は水平に対して傾斜するように設けたことを特徴とする水路の除塵装置。
【請求項６】
請求項１乃至５のいずれか１項に記載の水路の除塵装置において、
前記スクリーンバーは、前記水流に対向する先端部の形状が丸みを帯びた形状であることを特徴とする水路の除塵装置。
【請求項７】
請求項１乃至６のいずれか１項に記載の水路の除塵装置において、
前記設置位置における前記スクリーンの水流に対する下流側端部の近傍に水路内の塵芥を集積する集積部を設け、前記スクリーンで集められた塵芥が前記集積部に回収される構成としたことを特徴とする水路の除塵装置。
【請求項８】
請求項１乃至７のいずれか１項に記載の水路の除塵装置において、
前記集積部の前記スクリーンより下流側に開閉機構を設け、該開閉機構を開いて前記集積部に集積した塵芥を水路下流に放流する構成としたことを特徴とする水路の除塵装置。
【請求項９】
請求項１乃至８のいずれか１項に記載の水路の除塵装置において、
前記スクリーンは複数台設置され、前記設置位置において、該複数台のスクリーンが前記水路の一方の側面から他方の側面まで、又は前記水路の側面から前記集積部まで掛け渡されていることを特徴とする水路の除塵装置。
【請求項１０】
排水が流れる排水路を備えた排水設備において、
前記排水路に請求項１乃至９のいずれか１項に記載の除塵装置を設置したことを特徴とする排水設備。
【発明の詳細な説明】
【技術分野】
【０００１】
本発明は、自然排水路及びポンプ排水設備の排水路に設置され、水路を流れる流水中の塵芥等を捕集して取り除く水路の除塵装置及び該除塵装置を備えた排水設備に関する。
【背景技術】
【０００２】
従来、ポンプ排水設備等の水路には、該水路を流れる流水中の塵芥等を捕集して取り除くスクリーンや除塵機等を供えた除塵装置が設けられている。ここで水路に設置するスクリーンは、例えば複数のスクリーンバーを所定間隔離間させて設けて平板状に形成された構成となっており、捕集面が水路を流れる水流に対して対向するように設置されている。
【０００３】
ところが、従来のこの種の除塵装置では、大量の塵芥が捕集されるとこれがスクリーンに堆積してしまい、水路の流水を阻害したり、ポンプ排水設備の排水機能に悪影響を与えたりするという問題があった。そのため、塵芥の流入量が多い場合は、スクリーンに捕集される塵芥を頻繁に掻き上げ流水量を確保する必要があり、多大な労力やコストを要していた。特に、スクリーンが水路に固定して設置されたいわゆる定置式の場合は、スクリーンに塵芥が堆積することで水流に与える影響は深刻になる。
【０００４】
一方、ポンプ排水設備等では、ポンプの設置台数分の水路を設けている。この場合は、各水路毎にスクリーンや除塵機等を設置する必要があり、設置コスト及び電力量などの運用コストが高くなるという問題があった。これに対して、複数の水路の除塵を１基の除塵機で行うように構成すると、除塵機の全幅が広くなり、構造上レーキの強度を上げたり駆動機の容量を大きくする必要があり、設置コストが高くなってしまう。
【０００５】
また、幅の広い水路の除塵や複数の水路の除塵を行う場合、除塵機の設置台数を少なくするために水路幅を狭めてそこに全幅の小さい除塵機を設置するという対策を取ることがあるが、この対策では、除塵機に流入する流水の速度が高まり、除塵機部の損失水頭が大きくなり水路の流れが阻害されるという問題があった。
【発明の開示】
【発明が解決しようとする課題】
【０００６】
本発明は上述の点に鑑みてなされたものでありその目的は、簡単な構成で、水流を阻害することなく効率良く塵芥を取り除くことができる水路の除塵装置を提供することにある。
【課題を解決するための手段】
【０００７】
上記課題を解決するため請求項１に記載の発明は、水路に設置した水流中の塵芥等を捕集するスクリーンを備えた除塵装置であって、スクリーンは複数のスクリーンバーを所定間隔離間させて設けて平板状にした構成であり、スクリーンは、切換手段で水路の水流に対して平行な状態に格納される格納位置と、水路の水流の断面に掛け渡した状態で設置される設置位置とに切り換え配置されるようになっていることを特徴とする。
【０００８】
請求項２に記載の発明は、請求項１に記載の水路の除塵装置において、スクリーンは軸を中心に水平方向に回転自在に設置されており、格納位置は軸を中心として水流に対して平行な状態にあり、設置位置は軸を中心として水流に対して直交又は傾斜した状態にあることを特徴とする。
【０００９】
請求項３に記載の発明は、請求項１又は２に記載の水路の除塵装置において、スクリーンはその一端部を水路の一方の側面に旋回自在に取り付けられ、格納位置は該スクリーンの旋回端の上流側水路側面又は下流側水路側面に隣接して設けられていることを特徴とする。
【００１０】
なお、スクリーンは、設置位置においてその両側端部が水流の上流側と下流側に位置し水路横断面に対して傾斜した状態で設置されることが望ましい。
【００１１】
請求項４に記載の発明は、水路に設置した水流中の塵芥等を捕集するスクリーンを備えた除塵装置であって、スクリーンは複数のスクリーンバーを所定間隔離間させて設けて平板状にした構成であり、スクリーンはその両側端部が水路の水流の上流側と下流側に位置し水路横断面に対して傾斜した状態で設置位置に設置されることを特徴とする。
【００１２】
請求項５に記載の発明は、請求項１乃至４のいずれか１項に記載の水路の除塵装置において、スクリーンバーを、スクリーンの設置位置において水平、又は水平に対して傾斜するように設けたことを特徴とする。
【００１３】
請求項６に記載の発明は、請求項１乃至６のいずれか１項に記載の水路の除塵装置において、スクリーンバーは、水流に対向する先端部の形状が丸みを帯びた形状であることを特徴とする。
【００１４】
請求項７に記載の発明は、請求項１乃至６のいずれか１項に記載の水路の除塵装置において、設置位置におけるスクリーンの水流に対する下流側端部の近傍に水路内の塵芥を集積する集積部を設け、スクリーンで集められた塵芥が集積部に回収される構成としたことを特徴とする。
【００１５】
請求項８に記載の発明は、請求項１乃至７のいずれか１項に記載の水路の除塵装置において、集積部のスクリーンより下流側に開閉機構を設け、該開閉機構を開いて集積部に集積した塵芥を水路下流に放流する構成としたことを特徴とする。
【００１６】
請求項９に記載の発明は、請求項１乃至８のいずれか１項に記載の水路の除塵装置において、スクリーンは複数台設置され、設置位置において、該複数台のスクリーンが水路の一方の側面から他方の側面まで、又は水路の側面から集積部まで掛け渡されていることを特徴とする。
【００１７】
請求項１０に記載の発明は、排水が流れる排水路を備えた排水設備において、排水路に請求項１乃至９のいずれか１項に記載の除塵装置を設置したことを特徴とする。
【発明の効果】
【００１８】
本願請求項１に記載の発明によれば、スクリーンが切換手段で水路の水流に対して平行な状態に格納される格納位置と、水路の水流の断面に掛け渡した状態で設置される設置位置とに切り換え配置されるようになっているので、水流に塵芥が多く含まれるときやスクリーンの下流側でポンプによる強制排水を行っているときは、スクリーンを設置位置に位置させることで除塵を行うことができ、一方、水流の流れを確保する必要がある場合や自然流下排水時の除塵を必要としない排水方式の場合にはスクリーンを格納位置に位置させることで流れの悪化を防ぐことができる。これにより、水路の除塵を効率良く行うことができる。
【００１９】
また、切換手段でスクリーンを格納位置に位置させることで自然排水を行い、スクリーンを設置位置に位置させることで強制排水を行うので、水路で強制排水を行う際には、水路の除塵を行い排水ポンプの閉塞を防ぐことができ、一方、自然排水を行う際には、水流の悪化を防止することができる。またこれにより、排水が生態系に与える影響を最小限に抑えることができる。
【００２０】
請求項２に記載の発明によれば、スクリーンは軸を中心に水平方向に回転自在に設置されているので、簡単な構成でスクリーンを格納位置と設置位置とで切り換えることが可能となる。
【００２１】
請求項３に記載の発明によれば、スクリーンはその一端部を水路の一方の側面に旋回自在に取り付けられ、格納位置は該スクリーンの旋回端の上流側水路側面又は下流側水路側面に隣接して設けられているので、格納位置においてスクリーンが水流を阻害する恐れがない。さらに、スクリーンを下流側に旋回させて下流側水路側面に隣接した格納位置に位置させる場合は、捕集した塵芥を水流の力で下流側の水路に放流することが可能となる。従って、塵芥の引き上げ作業及び引き上げた塵芥の処理作業が必要なくなり、作業負担やコストを削減することができる。
【００２２】
ここで、スクリーンがその設置位置においてその両側端部が水流の上流側と下流側に位置し水路横断面に対して傾斜した状態で設置されている場合は、スクリーンで捕集された塵芥が水路を流れる水流の力によって自然にスクリーンの下流側の側端部近傍に集積する。従って、捕集した塵芥を集める作業が必要なくなり作業負担やコストを削減することができると共に、集まった塵芥を取り除く作業を水路の側方から行うことができるので、作業負担の軽減、安全性の向上が図れる。
【００２３】
請求項４に記載の発明によれば、スクリーンは複数のスクリーンバーを所定間隔離間させて設けて平板状にした構成であり、スクリーンはその両側端部が水路の水流の上流側と下流側に位置し水路横断面に対して傾斜した状態で設置位置に設置されるので、スクリーンで捕集された塵芥が水路を流れる水流の力によって自然にスクリーンの下流側の側端部近傍に集積する。従って、捕集した塵芥を集める作業が必要なくなり作業負担やコストを削減することができると共に、集まった塵芥を取り除く作業を水路の側方から行うことができるので、作業負担の軽減、安全性の向上が図れる。
【００２４】
請求項５に記載の発明によれば、スクリーンバーを、スクリーンの設置位置において水平、又は水平に対して傾斜するように設けたので、水流中の塵芥の量が多くその堆積によって水路の水位上昇が生じた場合でも、スクリーンで捕捉した塵芥が水路内の水位の上昇に伴ってスクリーンバーを伝ってスクリーンの一方の側端部へ移動するので、水流の力を利用して塵芥を集積させることができ作業負担が軽減する。さらに、スクリーンの目詰まりを防止できる。加えて、スクリーンが格納位置に位置している際に、スクリーンへの塵芥の付着・堆積を防止することができる。
【００２５】
請求項６に記載の発明によれば、スクリーンバーは、水流に対向する先端部の形状が丸みを帯びた形状なので、水流に対する抵抗を低減することで水流損失（流体損失）を少なくでき、スクリーンの下流側の水位変動を少なくすることができる。
【００２６】
請求項７に記載の発明によれば、設置位置におけるスクリーンの水流に対する下流側端部の近傍に水路内の塵芥を集積する集積部を設け、スクリーンで集められた塵芥が集積部に回収される構成としたので、スクリーンで捕集された塵芥を水流の力を利用して自然に集積部に集積させることができる。従って、捕集した塵芥を集める作業が必要なくなり作業負担やコストを削減することができると共に、除塵機等の機械設備の設置台数を低減させることが可能となり、設備費用及び運用コストを削減することができる。
【００２７】
請求項８に記載の発明によれば、集積部のスクリーンより下流側に開閉機構を設け、該開閉機構を開いて集積部に集積した塵芥を水路下流に放流する構成としたので、塵芥の引き上げ作業及び引き上げた塵芥の処理作業が必要なくなり、作業負担やコストを削減することができる。
【００２８】
請求項９に記載の発明によれば、スクリーンは複数台設置され、設置位置において、該複数台のスクリーンが水路の一方の側面から他方の側面まで、又は水路の側面から集積部まで掛け渡されているので、水路幅が大きい場合でも、複数台のスクリーンによって、水路幅を狭めたり水路の流水を阻害したりせずに効率良く水路の除塵を行うことが可能となる。
【００２９】
請求項１０に記載の発明によれば、排水が流れる排水路を備えた排水設備において、排水路に請求項１乃至９のいずれか１項に記載の除塵装置を設置したので、排水設備の排水路において上記請求項１乃至９のいずれかが有する効果が得られる。
【発明を実施するための最良の形態】
【００３０】
以下、本発明の実施形態例を図面に基づいて詳細に説明する。
【実施例１】
【００３１】
図１は、本発明にかかる水路の除塵装置の構成例（実施例１）を示す図である。図１（ａ）は、後述する排水設備が有する塵芥等が混入した流水が流れる水路１０を上方から見た図で、同図（ｂ），（ｃ）は同図（ａ）のＡ−Ａ断面図、同図（ｄ），（ｅ）は同図（ａ）のＢ方向矢視図である。同図（ｄ），（ｅ）においては、水流Ｗは紙面手前側から奥側に向かって流れる。これらの図に示すように、水路１０には、複数の横目のスクリーンバー１２を上下方向に所定間隔離間させて平行に設けて略平板状に形成されたスクリーン１１が設置されている。スクリーン１１はその設置位置Ｙにおいて、水流Ｗの断面に対してスクリーンバー１２を設けた捕集面１１ｃが対向するように設置される。なお、スクリーンバー１２の構成は以下の他の実施例においても同様とする。
【００３２】
スクリーンバー１２は同図（ｂ）の形状のほか、同図（ｃ）のように、その水流Ｗに対向する先端部１２ａの形状が丸みを帯びた形状のものとすることもできる。このスクリーンバー１２は、先端部１２ａの水流に対向する部分が他の部分よりも太くて丸みを帯びた形状になっており、これにより、水路１０を流れる水流Ｗに対する抵抗を低減して水流損失（流体損失）を少なくでき、スクリーン１１の下流側の水位変動を少なくすることができる。スクリーンバー１２の形状は、この他にも例えば、図２（ａ）、（ｂ）に示すような形状とすることもできる。図２（ａ）では丸みを帯びた先端部１２ａから徐々に傾斜して細くなる形状に構成されており、同図（ｂ）では、先端部１２ａの上半分が他の部分よりも太く丸みを帯びた形状に構成されている。
【００３３】
図１に戻って、スクリーン１１は、その一方の側端部１１ｂを水路１０の一方の側面１０ｂに設けた軸部材１５にヒンジ部材１３によって旋回自在に取り付けた切換手段により、水路１０の側面で水流Ｗに対して平行な状態で格納される格納位置Ｘと、他方の側端部１１ａが水路１０の他方の側面１０ａに当接して掛け渡された状態となる設置位置Ｙとを切り換えて位置するようになっている。本実施例においては、設置位置Ｙから水流Ｗの上流側に旋回させ、格納位置Ｘにおいて軸部材１５より上流側水路側面１０ｂに隣接して水流Ｗと平行になった状態で格納される。
【００３４】
図１（ａ）に示すように、スクリーン１１の設置位置Ｙにおいては、スクリーンバー１２を設けた捕集面１１ｃが水流Ｗの断面に掛け渡された状態になっているため、水路１０を流れてきた塵芥５がスクリーンバー１２に引っ掛かって捕集される。そしてスクリーン１１は一方の側端部１１ａが水流Ｗの上流側、他方の側端部１１ｂ下流側に位置し、水流Ｗに対して傾斜した状態で設置されているので、捕集された塵芥５は、流水Ｗによって、同図の矢印Ｃで示すようにスクリーン１１の下流側端部１１ｂ方向へ移動してゆき、集積場所１４に集められる。集められた塵芥５は作業員が水路１０の側方から手作業で掻き上げる等して除去する。
【００３５】
また、同図（ｅ）は、同図（ｄ）とは形状が異なるスクリーンバー１２を備えたスクリーン１１を示している。同図（ｄ）のスクリーン１１は、スクリーンバー１２を水流に対して水平に設けているが、同図（ｅ）のスクリーン１１は、水流Ｗに対する上流側端部１１ａから下流側端部１１ｂにかけて斜め上がりに傾斜するようにスクリーンバー１２を設けている。この同図（ｅ）のスクリーン１１によって、水路１０内の水位が上昇した際に、スクリーンバー１２に引っ掛かって捕集されていた塵芥５が自然に押し上げられて、傾斜したスクリーンバー１２を伝って矢印Ｄ方向に上昇していき、集積場所１４に集められる。このようにスクリーンバー１２を傾斜させて設けることで効率良く塵芥５を収集することができ、塵芥５の回収作業を簡単にすることができる。
【００３６】
また、スクリーンバー１２を上記のように水流Ｗに対して平行に又は傾斜させて設置することにより、スクリーンバー１２の目詰まりを防止するだけでなく、スクリーン１１を格納位置Ｘに位置させた状態において、スクリーンバー１２への塵芥５の付着を防止することができる。
【００３７】
ここで、ポンプ設備などの水路の排水方法には、いわゆる自然排水と強制排水とがある。一般に、自然排水は、水路に設置されたゲートやスクリーン等を開いて上流側の水を下流側に自然に排水する方法であり、強制排水は、水路に設置されたゲートやスクリーンを閉じた状態で排水ポンプ等を用いてゲートやスクリーンの上流側の水を強制的に下流側に排水する方法である。
【００３８】
図１に示す水路１０は、スクリーン１１を設置位置Ｙに位置させると共にスクリーン１１の下流側に設けた図示しない排水ポンプを稼動させることで、強制排水を行うことができる。また、スクリーン１１を格納位置Ｘに位置させて水路１０内で排水を自然流下させることで、自然排水を行うことができる。このように水路１０は、自然排水と強制排水を切り換えて行うことができるように構成されている。即ち、切換手段は、水路１０で自然排水を行う際にはスクリーン１１を格納位置Ｘに位置させ、水路１０で強制排水を行う際にはスクリーン１１を設置位置Ｙに位置させる。
【００３９】
これにより、強制排水時においては、排水ポンプが塵芥５によって閉塞しないようにスクリーン１１で除塵を行うことができ、強制排水終了後の自然排水時においては、スクリーン１１及びそれに付着した塵芥５によって水流Ｗが阻害されないようにスクリーン１１を格納位置Ｘに位置させることができる。このように構成することで、自然排水時においては水路断面の阻害を防止して流れの悪化を防ぎ、生態系に与える影響も少なくすることができ、強制排水時においては水流Ｗに含まれる塵芥５をスクリーン１１で効率良く除去してポンプ等の閉塞を防ぐことができる。
【実施例２】
【００４０】
図３は、本発明にかかる水路の除塵装置の他の構成例（実施例２）を示す図である。本除塵装置において実施例１の除塵装置と共通する部分には同一の符号を付してその詳細な説明は省略する。以下の他の構成の除塵装置においても同様とする。本除塵装置が実施例１の除塵装置と異なるのは、スクリーン１１が水流Ｗに対して反対向きに取り付けられている点である。即ち、スクリーン１１が設置位置Ｙから下流側に旋回して、軸部材１５よりも下流側の水路１０の側面１０ａに隣接した格納位置Ｘに格納される。また、スクリーン１１は設置位置Ｙにおいて軸部材１５側の側端部１１ａが水流Ｗの上流側に位置し、他方の側端部１１ｂが水流Ｗの下流側に位置し、両側端部１１ａ，１１ｂの水流Ｗに対する前後位置が、実施例１のスクリーン１１とは逆になっている。
【００４１】
本実施例の除塵装置によれば、強制排水時にスクリーン１１を設置位置Ｙに位置させて塵芥５を捕集する。そして、自然排水時に、スクリーン１１を格納位置Ｘに位置させることで、捕集されてスクリーン１１に付着した塵芥５を水流Ｗの力を利用して下流側へ放流することができる。従って、捕集した塵芥５の引き上げ作業や引き上げた塵芥５を処理する作業を行う必要がなく、作業負担及びコストを軽減することができる。
【実施例３】
【００４２】
図４は、本発明にかかる水路の除塵装置の他の構成例（実施例３）を示す図である。本除塵装置では、スクリーン１１は水路１０の略中央部に設置した軸部材１５を中心に水平方向に回転自在に取り付けられており、水流Ｗに対して平行な格納位置Ｘと、水流Ｗに対して略直交した設置位置Ｙとで切り換え可能になっている。スクリーン１１は、設置位置Ｙでは水路１０の一方の側面１０ａから他方の側面１０ｂまで掛け渡された状態になる。スクリーン１１を格納位置Ｘに位置させて自然排水を行い、設置位置Ｙに位置させて強制排水を行う。同図では、スクリーン１１は、設置位置Ｙで水流Ｗに対して略直交する状態になっているが、設置位置Ｙにおいて水流Ｗに対して両側端部１１ａ，１１ｂ間で前後に傾斜した状態とすることもできる。
【実施例４】
【００４３】
図５は、本発明にかかる水路の除塵装置の他の構成例（実施例４）を示す図である。本実施例では、水路１０にスクリーン１１が２台設置され、２台のスクリーン１１，１１はそれぞれ水路１０の中央部付近に設置した軸部材１５，１５にヒンジ部材１３，１３を介して旋回自在に取り付けられており、互いに背中合わせの状態で設置されている。スクリーン１１，１１が水路１０の中央部まで旋回して水流Ｗと平行な状態になった格納位置Ｘで、両方のスクリーン１１，１１が重なるようになっている。この格納位置Ｘと、それぞれのスクリーン１１，１１を水路１０の両側面１０ａ，１０ｂに当接するまで旋回させた設置位置Ｙとで切り換え可能になっている。設置位置Ｙでは２台のスクリーン１１，１１が連結して水路１０の一方の側面１０ａから他方の側面１０ｂまで掛け渡された状態になっている。同図では水流Ｗの向きは上下どちら向きでも良く、水流Ｗの向きによってスクリーン１１の格納位置Ｙは軸部材１５，１５より上流側若しくは下流側のいずれかとなる。また設置位置Ｙでの水流Ｗに対する傾斜方向が変わる。
【実施例５】
【００４４】
図６は、本発明にかかる水路の除塵装置の他の実施例（実施例５）を示す図である。本除塵装置では、水路１０にスクリーン１１が２台設置され、２台のスクリーン１１，１１はそれぞれ水路１０の両側面１０ａ，１０ｂに設置した軸部材１５，１５にヒンジ部材１３，１３を介して旋回自在に取り付けられており、水路両側面１０ａ，１０ｂに沿って水流Ｗに平行な状態に格納された格納位置Ｘと、そこから水路中央部へ向かって両方のスクリーン１１，１１が互いに当接するまで旋回させた設置位置Ｙとの間で切り換え可能になっている。設置位置Ｙでは、２台のスクリーン１１，１１が当接して連結し、水路１０の一方の側面１０ａから他方の側面１０ｂまで掛け渡された状態になっている。同図では水流Ｗの方向は上下どちら向きも可能で、それによってスクリーン１１の格納位置Ｘは軸部材１５，１５より上流側若しくは下流側のいずれかとなる。また設置位置Ｙでの水流Ｗに対する傾斜方向が変わる。
【００４５】
２台のスクリーン１１，１１は、両方同じ長さとしても良いし、互いの長さを異ならせることもできる。また、設置位置Ｙにおいて、スクリーン１１が水流Ｗに対して傾斜した状態となるようにしても良いし、水流Ｗに略直交するように設置してもよい。同図では、２台のスクリーン１１，１１の長さを異ならせて、これらのスクリーン１１，１１同士が当接した設置位置Ｙにおいて、いずれのスクリーン１１，１１も両側端部１１ａ，１１ｂ間が水流に対して傾斜した状態となるように設置している。
【実施例６】
【００４６】
図７は、本発明にかかる水路の除塵装置の他の構成例（実施例６）を示す図である。本除塵装置では、スクリーン１１は、設置位置Ｙにおいてその両側端部１１ａ，１１ｂが水流Ｗに対して前後に傾斜した状態で設置され、スクリーン１１の水流Ｗに対する下流側端部１１ｂの近傍に、水路１０内の塵芥５を集積する集積部である集積ピット２０が設けられている。スクリーン１１で捕集された塵芥５が水流Ｗの力によってスクリーン１１の上流側端部１１ａから下流側端部１１ｂに移動してそこから集積ピット２０内に回収されるように構成されている。このようにスクリーンバー１２に引っ掛かって捕集された塵芥５が、水流Ｗで自然に集積ピット２０内に集められて堆積する。集積ピット２０にある程度の量の塵芥５が堆積したら、水路側方から作業員がこれを引き上げて回収する等して取り除く。同図では、集積部の一例として集積ピット２０を示したが、集積部は手掻きスクリーンや自動除塵機などであってもよい。また、スクリーン１１は設置位置Ｙに固定する固定式のものを示したが、上記した各実施例と同様、設置位置Ｙと格納位置Ｘで切り換えることができる切換式のスクリーンを設置しても良い。
【００４７】
本実施例では、水路１０の側面１０ｂに集積ピット２０を設け、水流Ｗの力を用いて該集積ピット２０に塵芥５を集積させるよう構成したので、塵芥５の除去作業を水路中央付近で行う必要がなく、作業の安全を確保でき災害防止に大きな効果がある。また除塵設備が簡単になり設備費用の削減を図ることができる。
【実施例７】
【００４８】
図８は、本発明にかかる水路の除塵装置の他の構成例（実施例７）を示す図である。本除塵装置では、実施例６の構成に加えて、同図（ａ）に示すように、集積ピット２０のスクリーン１１よりも下流側の位置に開閉機構であるゲート又はスクリーン２１を設置した。スクリーン１１で捕集された塵芥５が集積ピット２０に集められて、ある程度の量が堆積したら、同図（ｂ）に示すように、ゲート又はスクリーン２１を開くことで、堆積した塵芥５をスクリーン１１よりも下流側の水路１０に放流する。これにより収集した塵芥５を強制排水終了後の自然排水時に下流側に放流することにより、塵芥５の引き上げ及び引き上げた塵芥５の処理作業を行う必要がなくなり、処理の効率化、低コスト化を図ることができる。
【実施例８】
【００４９】
図９は、本発明にかかる水路の除塵装置の他の構成（実施例８）を示す図である。本実施例は、水路１０が内部で複数の流路に分かれている場合に、この水路１０の除塵を一つの除塵装置で行うよう構成したものであり、水路の全幅のうちの一部分に自動除塵機や手掻きスクリーン等の除塵機２２を設置し、残りの部分にスクリーン１１を設置した構成である。即ち、図９（ａ）では、水路１０の両側面１０ａ，１０ｂの近傍に２台の除塵機２２，２２が設置され、それら除塵機２２，２２の間に２台のスクリーン１１，１１が設置されている。２つのスクリーン１１，１１はその設置位置において、互いに連結して一方の除塵機２２から他方の除塵機２２まで掛け渡されている。またスクリーン１１，１１は共に水流Ｗに対してその両側端部１１ａ，１１ｂ間が前後に傾斜した状態で位置しており、いずれのスクリーン１１，１１もその下流側端部１１ｂ，１１ｂが除塵機２２，２２と当接するように設置されている。
【００５０】
図９（ｂ）では、水路１０の一方の側面１０ｂの近傍に除塵機２２が設置され、この除塵機２２と水路１０の他方の側面１０ａとの間に２台のスクリーン１１，１１が設置されている。２台のスクリーン１１，１１はその設置位置において、互いに連結して側面１０ａから除塵機２２まで掛け渡されている。またスクリーン１１，１１は共に水流Ｗに対してその両側端部１１ａ，１１ｂが前後に傾斜した状態で設置されている。図９（ｃ）では、水路１０の略中央部に除塵機２２が設置され、この除塵機２２と水路１０の両側面１０ａ，１０ｂとの間にそれぞれ一台ずつスクリーン１１，１１が設置されている。スクリーン１１，１１はその設置位置において、除塵機２２から水路１０の側面１０ａ，１０ｂまで掛け渡されている。またスクリーン１１，１１は共に水流Ｗに対してその両側端部１１ａ，１１ｂ間が前後に傾斜して設置されている。
【００５１】
図９（ａ）乃至（ｃ）のいずれの構造によっても、スクリーン１１で捕集された塵芥５は、水流Ｗによって該スクリーン１１を伝って下流側端部１１ｂ近傍に設置された除塵機２２に導かれて該除塵機２２で回収される。この様に構成することで、塵芥５を搬送するコンベアや自動除塵機等の機械設備の設置台数を低減させることができる。また、スクリーン１１は水流を阻害しないので、水流Ｗの流れを悪化させずに効率良く除塵を行うことができ、水路の閉塞を防ぐことができる。
【実施例９】
【００５２】
次に、図１０を用いて、上記実施例１乃至９のいずれかに示す除塵装置を備えた排水設備の実施形態例を説明する。図１０は排水設備（ポンプ排水設備）３０を示す図で、同図（ａ）は排水設備３０の概略平面図であり、同図（ｂ）はその概略側断面図であり、同図（ｃ）は他の構成例を示す概略一部平面図である。排水設備３０は、塵芥等が混入した排水が流れる水路（排水路）１０の流路断面に、上記実施例１乃至９のいずれかの除塵装置が備えるスクリーン１１を設置している。そして、該スクリーン１１の下流側には、排水ポンプ３１が設置されている。排水ポンプ３１はその吸込口３２が水路１０のスクリーン１１よりも下流側に位置するポンプ吸込水槽３８内に開口し、吐出口３３が別の排水路３５内に開口している。この排水設備３０は、排水ポンプ３１を運転して水路１０内の排水を吸い上げて下流側の排水路３５に強制的に排水することができるものである。その際に、水路１０内を流れる流水に含まれる塵芥等がスクリーン１１に引っ掛かって捕集される。なお、３６は排水ポンプ３１を吊り上げるクレーンである。
【００５３】
また、この排水設備３０は、排水ポンプ３１と並列に自然流下流路３４を設け、該自然流下流路３４に自然流下用ゲート３７を設置している。これにより、自然流下排水時には排水ポンプ３１を停止して自然流下用ゲート３７を開くことで自然排水を行うことができる。自然排水を行う際は、塵芥を捕集する必要がないため、水路１０に設置したスクリーン１１を格納位置に位置させておく。さらに、図１０（ｃ）に示すように、ポンプ吸込水槽３８の流入口にポンプ吸込水槽３８と自然流下流路３４とを分離する切替ゲート３９を設置して、自然流下時に該切替ゲート３９を閉じることでポンプ吸込水槽３８への塵芥の流入を防止してもよい。
【００５４】
図１０に示す排水設備３０は、排水ポンプ３１と自然流下用ゲート３７とを別々に設置したものであるが、排水設備３０としてはこれ以外にも、図示は省略するが排水ポンプ３１と自然流下用ゲート３７を一体型としたポンプゲートなどの設備としても構わない。
【実施例１０】
【００５５】
図１１は、実施例１乃至９のいずれかに示す除塵装置を備えた排水設備の他の実施形態例を示す図で、同図（ａ）は、排水設備４０の概略平面図であり、同図（ｂ）はその概略側断面図である。排水設備４０は、塵芥等が混入した排水が流れる水路（排水路）１０の流路断面に、上記実施例１乃至９のいずれかの除塵装置が備えるスクリーン１１を設置している。そして、該スクリーン１１の下流側には、排水ポンプ４１が設置されている。排水ポンプ４１は、その吸込口４２が水路１０内のスクリーン１１よりも下流側に開口している。また、排水ポンプ４１の吐出口４３に接続された吐出配管４４が、他の排水路４５まで伸びており、吐出配管４５の吐出口４６が排水路４５内に開口している。この排水設備４０は、排水ポンプ４１を運転して水路１０内の排水を吸い上げて下流側の排水路４５に強制的に排水することができるものである。その際に、水路１０内を流れる流水に含まれる塵芥等がスクリーン１１に引っ掛かって捕集される。なお、４７は発電機である。
【００５６】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状や材質であっても、本願発明の作用・効果を奏する以上、本願発明の技術的思想の範囲内である。上記各実施例の説明に用いた図に示す除塵装置は一例であり、各部の構成はこれに限定されるものではない。また各実施例において、水路１０は一本である場合に限らず複数本であってもよい。
【００５７】
また、上記各実施例では、スクリーン１１が備えるスクリーンバー１２は横目のスクリーンバーである場合を示したが、スクリーンバー１２は横目のものに限られず、縦目のスクリーンバー等の他の形状のものであってもよい。なお、横目のスクリーンバーには、縦目スクリーンバー等の他の形状のスクリーンバーと比較して、水流中の塵芥を効率良く回収することができる効果が望める。
【００５８】
また、上記の切り換え式のスクリーン１１においては、水路底部に堆積した土砂などによってスクリーン１１の可動不良が起こることを防ぐため、スクリーン１１の水路底部近傍に小さな前衛スクリーン等を設けても良い。または、スクリーン１１を動かす際に僅かに上部に引き上げる機構を設けて、可動不良を防止してもよい。
【図面の簡単な説明】
【００５９】
【図１】本発明にかかる水路の除塵装置の一実施形態例（実施例１）を示す図で、同図（ａ）は水路を上方から見た図で、同図（ｂ）、（ｃ）は同図（ａ）のＡ−Ａ断面図で、同図（ｄ）、（ｅ）は同図（ａ）のＢ方向矢視図である。
【図２】スクリーンの構成例を示す図で、同図（ａ）、（ｂ）は図１（ａ）のＡ−Ａ断面図である。
【図３】本発明にかかる除塵装置の他の実施形態例（実施例２）を示す図である。
【図４】本発明にかかる除塵装置の他の実施形態例（実施例３）を示す図である。
【図５】本発明にかかる除塵装置の他の実施形態例（実施例４）を示す図である。
【図６】本発明にかかる除塵装置の他の実施形態例（実施例５）を示す図である。
【図７】本発明にかかる除塵装置の他の実施形態例（実施例６）を示す図である。
【図８】本発明にかかる除塵装置の他の実施形態例（実施例７）を示す図である。
【図９】本発明にかかる除塵装置の他の実施形態例（実施例８）を示す図である。
【図１０】本発明にかかる除塵装置を備えた排水設備の構成例（実施例９）を示す図である。
【図１１】本発明にかかる除塵装置を備えた排水設備の構成例（実施例１０）を示す図である。
【符号の説明】
【００６０】
５      塵芥
１０    水路
１０ａ  側面
１０ｂ  側面
１１    スクリーン
１１ａ  側端部（上流側端部）
１１ｂ  側端部（下流側端部）
１１ｃ  捕集面
１２    スクリーンバー
１２´  先太形状スクリーンバー
１３    ヒンジ部材
１４    集積場所
１５    軸部材
２０    集積ピット
２１    ゲート又はスクリーン
２２    除塵機
３０    排水設備
３１    排水ポンプ
３２    吸込口
３３    吐出口
３４    自然流下流路
３５    排水路
３６    クレーン
３７    自然流下用ゲート
３８    ポンプ吸込水槽
３９    切替ゲート
４０    排水設備
４１    排水ポンプ
４２    吸込口
４３    （ポンプ）吐出口
４４    吐出配管
４５    排水路
４６    吐出口
４７    発電機
Ｘ      格納位置
Ｙ      設置位置
【図１】
2006070508.tif 000003
【図２】
2006070508.tif 000004
【図３】
2006070508.tif 000005
【図４】
2006070508.tif 000006
【図５】
2006070508.tif 000007
【図６】
2006070508.tif 000008
【図７】
2006070508.tif 000009
【図８】
2006070508.tif 000010
【図９】
2006070508.tif 000011
【図１０】
2006070508.tif 000012
【図１１】
2006070508.tif 000013